【手続補正書】
【提出日】平成15年8月15日(2003.8.15)
【手続補正１】
【補正対象書類名】明細書
【補正対象項目名】特許請求の範囲
【補正方法】変更
【補正の内容】
【特許請求の範囲】
【請求項１】
大当りまたは外れを表示する図柄表示装置と、前記図柄表示装置に関わる大当りの設定に用いるための大当り用数値設定手段と、前記大当り用数値設定手段の数値を乱数的に切換調整する大当り用数値調整手段とを備え、前記図柄表示装置における大当りの発生タイミングをランダム化するパチンコ遊技機において、
前記大当り用数値設定手段は、初期値データより更新スタートされて、所定周期毎に大当り用数値を更新して大当り用数値を作成するように構成され、前記大当り用数値調整手段は、前記大当り用数値の更新周期と無関係の周期で更新されるものであって、前記大当り用数値の初期値を作成する初期値決定用数値を有し、前記大当り用数値の現在値が現在設定されている初期値データと一致した場合に前記初期値決定用数値の現在値を大当り用数値の初期値データとして格納して初期値データを置き換えるように構成され、始動口入賞検出スイッチの入力を検出した場合に、前記大当り用数値設定手段の数値をＲＡＭに格納し、前記ＲＡＭに格納した大当り用数値と予め定めた大当り判定値と一致する場合に大当りとなることを特徴とするパチンコ遊技機。
【請求項２】
大当りまたは外れを表示する図柄表示装置と、前記図柄表示装置に関わる大当りの設定に用いるための大当り用数値設定手段と、前記大当り用数値設定手段の数値を乱数的に切換調整する大当り用数値調整手段とを備え、前記図柄表示装置における大当りの発生タイミングをランダム化するパチンコ遊技機において、
前記大当り用数値設定手段は、初期値データより更新スタートされて、所定周期毎に大当り用数値を更新して大当り用数値を作成するように構成され、前記大当り用数値調整手段は、前記大当り用数値の更新周期と無関係の周期で更新されるものであって、前記大当り用数値の初期値を作成する初期値決定用数値を有し、前記大当り用数値の値が１周期分更新アップされて再び初期値データに達すると、前記初期値決定用数値の現在値を大当り用数値の初期値データとして格納して初期値データを置き換えるように構成され、始動口入賞検出スイッチの入力を検出した場合に、前記大当り用数値設定手段の数値をＲＡＭに格納し、前記ＲＡＭに格納した大当り用数値と予め定めた大当り判定値と一致する場合に大当りとなることを特徴とするパチンコ遊技機。
【手続補正２】
【補正対象書類名】明細書
【補正対象項目名】００１２
【補正方法】変更
【補正の内容】
【００１２】
【課題を解決するための手段】
請求項１に記載のパチンコ遊技機は、大当りまたは外れを表示する図柄表示装置と、前記図柄表示装置に関わる大当りの設定に用いるための大当り用数値設定手段と、前記大当り用数値設定手段の数値を乱数的に切換調整する大当り用数値調整手段とを備え、前記図柄表示装置における大当りの発生タイミングをランダム化するものであって、上記課題を解決するために、前記大当り用数値設定手段は、初期値データより更新スタートされて、所定周期毎に大当り用数値を更新して大当り用数値を作成するように構成され、前記大当り用数値調整手段は、前記大当り用数値の更新周期と無関係の周期で更新されるものであって、前記大当り用数値の初期値を作成する初期値決定用数値を有し、前記大当り用数値の現在値が現在設定されている初期値データと一致した場合に前記初期値決定用数値の現在値を大当り用数値の初期値データとして格納して初期値データを置き換えるように構成され、始動口入賞検出スイッチの入力を検出した場合に、前記大当り用数値設定手段の数値をＲＡＭに格納し、前記ＲＡＭに格納した大当り用数値と予め定めた大当り判定値と一致する場合に大当りとなることを特徴とする。
請求項２に記載のパチンコ遊技機は、大当りまたは外れを表示する図柄表示装置と、前記図柄表示装置に関わる大当りの設定に用いるための大当り用数値設定手段と、前記大当り用数値設定手段の数値を乱数的に切換調整する大当り用数値調整手段とを備え、前記図柄表示装置における大当りの発生タイミングをランダム化するパチンコ遊技機において、前記大当り用数値設定手段は、初期値データより更新スタートされて、所定周期毎に大当り用数値を更新して大当り用数値を作成するように構成され、前記大当り用数値調整手段は、前記大当り用数値の更新周期と無関係の周期で更新されるものであって、前記大当り用数値の初期値を作成する初期値決定用数値を有し、前記大当り用数値の値が１周期分更新アップされて再び初期値データに達すると、前記初期値決定用数値の現在値を大当り用数値の初期値データとして格納して初期値データを置き換えるように構成され、始動口入賞検出スイッチの入力を検出した場合に、前記大当り用数値設定手段の数値をＲＡＭに格納し、前記ＲＡＭに格納した大当り用数値と予め定めた大当り判定値と一致する場合に大当りとなることを特徴とする。
【手続補正３】
【補正対象書類名】明細書
【補正対象項目名】０１６７
【補正方法】変更
【補正の内容】
【０１６７】
この結果、通常の大当り図柄により大当りとなって条件装置が作動し、確率変動フラグをクリアして低確率に切り換え、確率変動の連続回数カウンタをクリアする。そして、該条件装置が作動終了した時点で、確率変動連続回数カウンタの値が０である結果、確率変動フラグの値の変化はないので０のままとなり、低確率となる。なお、条件装置の連続作動回数が４回目の終了時点から５回目の開始時点までの間は、特定図柄でのリーチ動作は行わない。なお、本発明は、概念的には、大当りまたは外れを表示する図柄表示装置を備えたパチンコ遊技機において、前記図柄表示装置に関わる大当りの設定に用いるための大当り用数値設定手段と、前記大当り用数値設定手段の数値を乱数的に切換調整する大当り用数値調整手段とを備え、前記図柄表示装置における大当りの発生タイミングをランダム化する構成といえる。なお、請求項１に記載の要件に関わる補正事項に対応する根拠は、願書に最初に添付した明細書（以下、原明細書という）における次の記載箇所です。「前記大当り用数値設定手段は、初期値データより更新スタートされて、所定周期毎に大当り用数値を更新して大当り用数値を作成するように構成され、」は、段落００４１の記載に基いています。「前記大当り用数値調整手段は、前記大当り用数値の更新周期と無関係の周期で更新されるものであって、前記大当り用数値の初期値を作成する初期値決定用数値を有し、」は、段落００４７、段落００４９及び段落００５０の記載に基いています。「前記大当り用数値の現在値が現在設定されている初期値データと一致した場合に前記初期値決定用数値の現在値を大当り用数値の初期値データとして格納して初期値データを置き換えるように構成され、」は、段落００４０〜段落００４１、段落００４９〜段落００５２の記載に基いています。「始動口入賞検出スイッチの入力を検出した場合に、前記大当り用数値設定手段の数値をＲＡＭに格納し、前記ＲＡＭに格納した大当り用数値と予め定めた大当り判定値と一致する場合に大当りとなる」は、段落００５５の記載に基いています。また、請求項２に記載の要件に関わる補正事項に対応する根拠は、願書に最初に添付した明細書（以下、原明細書という）における次の記載箇所です。「前記大当り用数値の値が１周期分更新アップされて再び初期値データに達すると、前記初期値決定用数値の現在値を大当り用数値の初期値データとして格納して初期値データを置き換えるように構成され、」は、段落００４１の記載に基いています。また、段落０１６７の補正の根拠は、原明細書の請求項１に記載されている事項に基いています。